(57)【要約】      （修正有）【課題】カラオケ装置のアクセスポイントにカラオケ装置を利用している顧客以外の携帯端末が接続する懸念を解決するリモコン制御装置及び方法を提供する。【解決手段】リモコン制御装置７０は、それぞれ所定の人数で入場した利用者の組毎に互いに異なる接続識別子を生成する生成部７１と、各組に専用で使用され、入力された接続識別子を自身に設定し、接続識別子が設定された無線子機に自身と接続して機器と通信する無線親機に生成された接続識別子を出力し、接続識別子を無線子機が取得可能に出力する出力部７２と、各組の使用終了の際、専用の無線親機から接続識別子を削除する削除部７３とを備える。【選択図】図６
2016131268.tif 000002
【特許請求の範囲】
【請求項１】
それぞれ所定の人数で入場した利用者の組毎に互いに異なる接続識別子を生成する生成手段と、
前記各組に専用で使用され、入力された接続識別子を自身に設定し、また、前記接続識別子が設定された無線子機に自身と接続して機器と通信することを可能とする無線親機に、前記生成された接続識別子を出力し、前記接続識別子を前記無線子機が取得可能に出力する出力手段と、
前記各組の使用終了の際、前記専用の無線親機から前記接続識別子を削除する削除手段と
を備える
ことを特徴とするリモコン制御装置。
【請求項２】
前記機器はカラオケ装置であり、
さらに、前記機器で選択された曲のデータを前記無線親機経由で前記無線子機に配信する
ことを特徴とする請求項１に記載のリモコン制御装置。
【請求項３】
前記機器はカラオケ装置であり、
さらに、前記機器で選択された曲のデータについて、曲別に曲データの参照可能な固有のＵＲＬ（Uniform Resource Locator）を生成し、前記ＵＲＬを取得可能に出力する
ことを特徴とする請求項１に記載のリモコン制御装置。
【請求項４】
請求項１、２もしくは３に記載のリモコン制御装置と、
前記機器と、
前記無線親機と
を備えることを特徴とするリモコン制御システム。
【請求項５】
それぞれ所定の人数で入場した利用者の組毎に互いに異なる接続識別子を生成する生成工程と、
前記各組に専用で使用され、入力された接続識別子を自身に設定し、また、前記接続識別子が設定された無線子機に自身と接続して機器と通信することを可能とする無線親機に、前記生成された接続識別子を出力し、前記接続識別子を前記無線子機が取得可能に出力する出力工程と、
前記各組の使用終了の際、前記専用の無線親機から前記接続識別子を削除する削除工程と
を備える
ことを特徴とするリモコン制御方法。
【請求項６】
前記機器はカラオケ装置であり、
さらに、前記機器で選択された曲のデータを前記無線親機経由で前記無線子機に配信する
ことを特徴とする請求項４に記載のリモコン制御方法。
【請求項７】
前記機器はカラオケ装置であり、
さらに、前記機器で選択された曲のデータについて、曲別に曲データの参照可能な固有のＵＲＬを生成し、前記ＵＲＬを取得可能に出力する
ことを特徴とする請求項４に記載のリモコン制御方法。
【発明の詳細な説明】
【技術分野】
【０００１】
本発明は、リモコン制御装置および方法に関する。
【背景技術】
【０００２】
近年、多機能携帯端末等をカラオケ装置のリモコンとして利用するようになってきている。カラオケ店においては、顧客が所有する携帯端末をリモコンとして利用する場合、カラオケ部屋でのその携帯端末の信号が他の部屋のカラオケ装置まで届くことがあるため、その携帯端末でそのカラオケ装置をリモコン制御することができないようにする必要がある。同時に、使用後のカラオケ装置に接続可能なままの携帯端末からの信号が外からそのカラオケ装置まで届くことがあることを考慮してその携帯端末でそのカラオケ装置をリモコン制御することができないようにする必要もある。
【０００３】
つまり、カラオケのリモコンとして動作する顧客の多機能携帯端末とカラオケ装置との間のペアリングを、顧客の入店から退出までの間の利用単位のみで行うようにするという課題がある。
【０００４】
この課題を解決する技術が特許文献１に記載されている。すなわち、特許文献１に記載のネットワークカラオケシステムは、カラオケ装置、受付端末装置、リモコン端末装置、表示装置などを有する（図１参照）。まず、受付端末装置で、入店した顧客が利用するカラオケ装置の利用単位を特定するセッションＩＤ（Identifier）が発行される。次に、表示装置から、カラオケ装置を特定するためのカラオケ装置ＩＤとそのセッションＩＤとを含むカラオケ識別情報がリモコン端末装置（携帯端末）に伝えられる。そのカラオケ識別情報を得たリモコン端末装置から、そのカラオケ識別情報とリモコン端末装置を特定するためのリモコンＩＤとを含むリモコン識別情報がカラオケ装置（アクセスポイント）に送信される。次に、受付端末装置で、カラオケ装置に送信されたその識別情報に基づいて、カラオケ装置とリモコン端末装置の対応付が行われる。また、受付端末装置により、その対応付に基づいて、リモコン端末装置とカラオケ装置との接続許可が確立され、許可確立時のセッションＩＤが有効な間、接続許可が維持される。なお、カラオケ装置の利用が終了した際、セッションＩＤがリセットされる。
【０００５】
このように、顧客のカラオケ装置の利用時間にのみ有効な識別情報でカラオケ装置とリモコン端末装置との１対１の接続が許可される。このため、特許文献１に記載の技術により、カラオケのリモコンとして動作する顧客の多機能携帯端末とカラオケ装置との間のペアリングを、顧客の入店から退出までの間の利用単位のみで利用することが可能となる。
【先行技術文献】
【特許文献】
【０００６】
【特許文献１】特開２０１４−０７７９２８号公報
【発明の概要】
【発明が解決しようとする課題】
【０００７】
特許文献１に記載の技術において、カラオケのリモコンとして動作する顧客の多機能携帯端末とカラオケ装置との間のペアリングを、顧客の入店から退出までの間の利用単位のみで利用することが可能となる。ところが、カラオケ装置の利用が終了した際には、セッションＩＤがリセットされるが、カラオケ装置ＩＤがリセットされないことが懸念される。カラオケ装置ＩＤにはアクセスポイントのＳＳＩＤ（Service Set Identifier）や暗号化キーなどのＳＳＩＤ情報が含まれるが、カラオケ装置ＩＤは、カラオケ装置利用の終了後、当該顧客の携帯端末（リモコン端末装置）にもある。そのため、その携帯端末は、カラオケ装置利用の終了後、他の顧客がカラオケ装置を利用しているときも、アクセスポイントに接続することが可能となる。このため、カラオケ装置を利用している顧客の携帯端末が他の携帯端末に侵入され、その携帯端末のデータが盗難されることなどが懸念される。つまり、特許文献１に記載の技術において、カラオケ装置のアクセスポイントにカラオケ装置を利用している顧客以外の携帯端末が接続する懸念があることが課題である。
【０００８】
本発明の目的は、この課題を解決するリモコン制御装置および方法を提供することである。
【課題を解決するための手段】
【０００９】
本発明のリモコン制御装置は、それぞれ所定の人数で入場した利用者の組毎に互いに異なる接続識別子を生成する生成手段と、前記各組に専用で使用され、入力された接続識別子を自身に設定し、また、前記接続識別子が設定された無線子機に自身と接続して機器と通信することを可能とする無線親機に、前記生成された接続識別子を出力し、前記接続識別子を前記無線子機が取得可能に出力する出力手段と、前記各組の使用終了の際、前記専用の無線親機から前記接続識別子を削除する削除手段とを備えることを特徴とする。
【００１０】
本発明のリモコン制御方法は、それぞれ所定の人数で入場した利用者の組毎に互いに異なる接続識別子を生成する生成工程と、前記各組に専用で使用され、入力された接続識別子を自身に設定し、また、前記接続識別子が設定された無線子機に自身と接続して機器と通信することを可能とする無線親機に、前記生成された接続識別子を出力し、前記接続識別子を前記無線子機が取得可能に出力する出力工程と、前記各組の使用終了の際、前記専用の無線親機から前記接続識別子を削除する削除工程とを備えることを特徴とする。
【発明の効果】
【００１１】
本発明によれば、カラオケ装置のアクセスポイントにはカラオケ装置を利用している顧客の携帯端末でのみ接続することが可能となる。
【図面の簡単な説明】
【００１２】
【図１】ネットワークカラオケシステムの構成を示す図である。
【図２】第１の実施形態におけるカラオケリモコンシステムの構成例を示す図である。
【図３】第１の実施形態における装置の構成例を示す図である。
【図４】第１の実施形態におけるカラオケリモコンシステムの動作例を示すフローチャートである。
【図５】第１の実施形態におけるカラオケ専用リモコンの構成例を示す図である。
【図６】第２の実施形態におけるカラオケリモコンシステムの構成例を示す図である。
【図７】第１の実施形態における顧客および部屋の状況例を示す表である。
【発明を実施するための形態】
【００１３】
本発明の第１の実施形態について、図面を参照して説明する。
【００１４】
図２に本実施形態におけるカラオケリモコンシステムの構成例を示す。本カラオケリモコンシステムは、カラオケ店等に設けられ、無線ＬＡＮ親機１０（１０ａ、１０ｂ、１０ｃを代表  以降、該当するものは同様に表記）、カラオケ装置２０、ＮＦＣ（Near Field Communication）タグ３０、スマートフォン４０、制御装置５０を含む。無線ＬＡＮ親機１０ａ、１０ｂ、１０ｃはそれぞれ１０１号室、１０２号室、１０３号室に設置されており、カラオケ装置２０、ＮＦＣタグ３０、スマートフォン４０についても同様である。１０１号室においては、無線ＬＡＮ親機１０ａとカラオケ装置２０ａとが有線接続されており、また、カラオケ装置２０ａが制御装置５０と有線接続されており、１０２号室、１０３号室においても同様である。
【００１５】
図３に無線ＬＡＮ親機１０、カラオケ装置２０、スマートフォン４０、制御装置５０の構成例を示す。
【００１６】
無線ＬＡＮ親機１０は、メモリ部１１、ＮＦＣライタ部１２、制御部１３、ＬＡＮインタフェース部１４、無線回路部１５を備え、無線ＬＡＮアクセスポイント機能を有する。
【００１７】
カラオケ装置２０は、ＬＡＮインタフェース部２１、２３、制御部２２を備え、カラオケ機能を有する。
【００１８】
スマートフォン４０（無線ＬＡＮ子機）は、カラオケリモコンアプリケーション４１、ＮＦＣリーダ部４２、制御部４３、無線回路部４４を備える。
【００１９】
制御装置５０は、ＬＡＮインタフェース部５１、制御部５２、メモリ部５３を備える。
【００２０】
無線ＬＡＮ親機１０の各部を説明する。
【００２１】
メモリ部１１は、ＳＳＩＤ情報の記憶を行う。
【００２２】
ＮＦＣライタ部１２は、ＮＦＣタグ３０へのＳＳＩＤ情報の書き込みを行う。
【００２３】
制御部１３は、ＳＳＩＤ情報の記憶、書き込みおよび設定の制御を行う。
【００２４】
ＬＡＮインタフェース部１４は、ＬＡＮの通信インタフェースである。
【００２５】
無線回路部１５は、無線ＬＡＮ通信を行う。
【００２６】
カラオケ装置２０の各部を説明する。
【００２７】
ＬＡＮインタフェース部２１、２３は、ＬＡＮの通信インタフェースである。
【００２８】
制御部２２は、リモコン操作および通信の制御を行う。
【００２９】
スマートフォン４０の各部を説明する。
【００３０】
カラオケリモコンアプリケーション４１は、カラオケ装置２０のリモコン操作を行うためのアプリケーションである。
【００３１】
ＮＦＣリーダ部４２は、ＮＦＣタグからのＳＳＩＤ情報の読み込みを行う。
【００３２】
制御部４３は、ＳＳＩＤの設定、無線ＬＡＮ接続要求を行う。
【００３３】
無線回路部４４は、無線ＬＡＮ通信を行う。
【００３４】
制御装置５０の各部を説明する。
【００３５】
ＬＡＮインタフェース部５１は、ＬＡＮの通信インタフェースである。
【００３６】
制御部５２は、ＳＳＩＤ情報の設定の制御を行い、生成部、出力部、削除部（図示せず）を含む。
【００３７】
生成部は、入場した利用者の組毎に互いに異なるＳＳＩＤ情報を生成する。
【００３８】
出力部は、生成されたＳＳＩＤ情報を無線ＬＡＮ親機に出力し、ＳＳＩＤ情報をスマートフォンが取得可能に出力する。
【００３９】
削除部は、利用者の各組の使用終了の際、専用の無線ＬＡＮ親機からＳＳＩＤ情報を削除する。
【００４０】
メモリ部５３は、ＳＳＩＤ情報および部屋の使用状況の記憶を行う。
【００４１】
上述の構成例を踏まえ、本実施形態におけるカラオケリモコンシステムの動作について、図４、図５を参照して説明する。図４は本実施形態におけるカラオケリモコンシステムの動作例を示すフローチャートである。
【００４２】
カラオケ店の店員等により制御装置５０が起動されると、制御部５２がＳＳＩＤ情報に対応する変数Ｘの初期値として１を設定する（ステップ４０１）。このとき、カラオケ店の全部屋が空室であるものとする。なお、顧客（組）がカラオケ店に入店する毎に、店員等の入力により受付中顧客数Ｃとして制御部５２のカウンタ（図示せず  初期値０）等に１が加算される。また、顧客がカラオケ（部屋）の使用を終了したとき、店員等がその部屋に対応するボタン等を押すことにより部屋毎にカラオケ使用終了が有りとメモリ部５３に記憶される（図７参照）。次に、制御部５２はメモリ部５３でカラオケ使用終了、空室があるかを確認する（ステップ４０２）。なお、部屋の使用状況はメモリ部５３にて管理される（図７参照）。カラオケ使用終了がなく、かつ空室もなければ（ステップ４０２で満室）、再びステップ４０２の処理が行われる。カラオケ使用終了がなく、かつ空室があれば（ステップ４０２で空室あり）、制御部５２は受付中の顧客があるか（カウンタ値Ｃ）を確認する（ステップ４０３）。受付中の顧客がなければ（カウンタ値Ｃが０であれば）（ステップ４０３でＮｏ）、ステップ４０２の処理が行われる。受付中の顧客があれば（カウンタ値Ｃが１以上であれば）（ステップ４０３でＹｅｓ）、カウンタ値Ｃから１が減算され（以降同様）、制御部５２は変数Ｘに対応するＳＳＩＤ情報（ＳＳＩＤＸ、暗号化キーＸ）を生成し、メモリ部５３に記憶させる（ステップ４０４）。なお、ここでは、変数Ｘは１なので、ＳＳＩＤ１、暗号化キー１が生成される。
【００４３】
次に、制御部５２はメモリ部５３で１０１号室が空室であるかを確認する（ステップ４０５）。１０１号室が空室である場合（ステップ４０５でＹｅｓ）、制御部５２は１０１号室に設置されている無線ＬＡＮ親機１０ａに変数Ｘに対応するＳＳＩＤ情報を送信して設定させ、１０１号室が使用中である（ＳＳＩＤが設定されている  以降同様）ことをメモリ部５３に記憶させる（ステップ４０６）。なお、無線ＬＡＮ親機１０ａにおいては、制御部１２ａが変数Ｘに対応するＳＳＩＤ情報を設定すると共に、ＮＦＣライタ部１２ａにＳＳＩＤ情報をＮＦＣタグ３０ａに書き込ませる制御を行う。
【００４４】
次に、制御部５２は変数Ｘに１を加える（ステップ４０７）。なお、ここでは、変数Ｘは２となる。次に、カラオケ使用終了がなく、かつ空室があり（ステップ４０２で空室あり）、受付中の顧客（２組目）があれば（カウンタ値Ｃが１以上であれば）（ステップ４０３でＹｅｓ）、ステップ４０４の処理が行われる。なお、ここでは、変数Ｘは２なので、ＳＳＩＤ２、暗号化キー２が生成される。次に、ステップ４０５の処理が行われる。例えば、１組目の顧客の入店により１０１号室が使用中である場合（ステップ４０５でＮｏ）、制御部５２はメモリ部５３で１０２号室が空室であるかを確認する（ステップ４０８）。１０２号室が空室である場合（ステップ４０８でＹｅｓ）、制御部５２は１０２号室に設置されている無線ＬＡＮ親機１０ｂに変数Ｘに対応するＳＳＩＤ情報を送信して設定させ、１０２号室が使用中であることをメモリ部５３に記憶させる（ステップ４０９）。なお、無線ＬＡＮ親機１０ｂにおいては、制御部１２ｂが変数Ｘに対応するＳＳＩＤ情報を設定すると共に、ＮＦＣライタ部１２ｂにＳＳＩＤ情報をＮＦＣタグ３０ｂに書き込ませる制御を行う。
【００４５】
次に、制御部５２は変数Ｘに１を加える（ステップ４０７）。なお、ここでは、変数Ｘは３となる。次に、カラオケ使用終了がなく、かつ空室があり（ステップ４０２で空室あり）、受付中の顧客（３組目）があって（カウンタ値Ｃが１以上であって）（ステップ４０３でＹｅｓ）、例えば、１０１号室、１０２号室が使用中である場合（ステップ４０８でＮｏ）、１０３号室が空室であることになる。その場合、制御部５２は１０３号室に設置されている無線ＬＡＮ親機１０ｃに変数Ｘに対応するＳＳＩＤ情報を送信して設定させ、１０３号室が使用中であることをメモリ部５３に記憶させる（ステップ４１０）。なお、無線ＬＡＮ親機１０ｃにおいては、制御部１２ｃが変数Ｘに対応するＳＳＩＤ情報を設定すると共に、ＮＦＣライタ部１２ｃにＳＳＩＤ情報をＮＦＣタグ３０ｃに書き込ませる制御を行う。
【００４６】
ステップ４０２で、部屋の使用状況に拘わらずカラオケ使用終了があれば（ステップ４０２で使用終了あり）、制御部５２はメモリ部５３で１０１号室がカラオケ使用終了有りであるかを確認する（ステップ４１１）。１０１号室が使用終了有りであれば（ステップ４１１でＹｅｓ）、制御部５２は１０１号室に設置されている無線ＬＡＮ親機１０ａにＳＳＩＤ情報を削除させ、１０１号室が空室である（ＳＳＩＤが削除されている  以降同様）ことをメモリ部５３に記憶させる（ステップ４１２）。次に、ステップ４１３の処理が行われる。
【００４７】
１０１号室が使用終了有りでなければ（ステップ４１１でＮｏ）、制御部５２はメモリ部５３で１０２号室がカラオケ使用終了有りであるかを確認する（ステップ４１３）。１０２号室が使用終了有りであれば（ステップ４１３でＹｅｓ）、制御部５２は１０２号室に設置されている無線ＬＡＮ親機１０ｂにＳＳＩＤ情報を削除させ、１０２号室が空室であることをメモリ部５３に記憶させる（ステップ４１４）。次に、ステップ４１５の処理が行われる。
【００４８】
１０２号室が使用終了有りでなければ（ステップ４１３でＮｏ）、制御部５２はメモリ部５３で１０３号室がカラオケ使用終了有りであるかを確認する（ステップ４１５）。１０３号室が使用終了有りであれば（ステップ４１５でＹｅｓ）、制御部５２は１０３号室に設置されている無線ＬＡＮ親機１０ｃにＳＳＩＤ情報を削除させ、１０３号室が空室であることをメモリ部５３に記憶させる（ステップ４１６）。次に、メモリ部５３において全部屋についてカラオケ使用終了が無しと（リセット）され、ステップ４０２の処理が行われる。
【００４９】
１０３号室が使用終了有りでなければ（ステップ４１５でＮｏ）、メモリ部５３において全部屋についてカラオケ使用終了が無しと（リセット）され、ステップ４０２の処理が行われる。
【００５０】
なお、上記の部屋数は３室に限らず、１室以上であればよい。
【００５１】
各部屋において、顧客の所定の操作と共に（顧客の所有する）スマートフォン４０がＮＦＣタグ３０に近づけられると、ＮＦＣリーダ部４２がＳＳＩＤ情報を読み取り、制御部４３がＳＳＩＤ情報をスマートフォン４０に設定する。これにより、各部屋において、スマートフォン４０ａ、４０ｂ、４０ｃと無線ＬＡＮ親機１０ａ、１０ｂ、１０ｃとをそれぞれ１対１で無線ＬＡＮ接続させることが可能となる。その無線ＬＡＮ接続が行われた状態で、顧客によりスマートフォン４０で所定のリモコン操作が行われると、カラオケリモコンアプリケーション４１がそのリモコン操作を無線ＬＡＮ親機１０経由でカラオケ装置２０の制御部２２に伝達する。制御部２２はそのリモコン操作に従ってカラオケ装置２０を動作させる。
【００５２】
以上のように、入店した顧客のそれぞれに一意に対応したＳＳＩＤ情報を各顧客に専用で使用されるカラオケ装置の無線ＬＡＮ親機に設定し、読み取り可能に表示し、各顧客の退店を確認すると、そのＳＳＩＤ情報を無線ＬＡＮ親機から削除する。また、スマートフォンが無線ＬＡＮ親機からＳＳＩＤ情報を読み取ると、ＳＳＩＤ情報を自身に設定して無線ＬＡＮ親機と接続し、カラオケ装置と通信してカラオケ装置のリモコン操作を可能とする。
【００５３】
つまり、カラオケ装置のアクセスポイントにはカラオケ装置を利用している顧客の携帯端末でのみ接続することが可能となる。
【００５４】
上記の本実施形態に、さらに、無線ＬＡＮ親機１０に各部屋別に固定のＳＳＩＤ情報も設定し、その固定のＳＳＩＤ情報が設定されたスマートフォン４０と同様なカラオケ専用リモコン６０（図５）を各部屋に設置するようにしてもよい。なお、その固定のＳＳＩＤ情報は制御装置５０により書き替えられず、ＮＦＣタグ３０に書き込まれない。その場合、そのようなカラオケ専用リモコンは顧客の入店、退店に関わらずＳＳＩＤ情報が固定で使用可能で、ＳＳＩＤ情報は顧客に開示されないという効果を奏する。
【００５５】
また、さらに、スマートフォン４０やカラオケ専用リモコン６０などによりカラオケ装置２０で選択された曲のデータを、メモリ（図示せず）や制御装置５０のメモリ部５３に記憶させ、無線ＬＡＮ親機１０経由でスマートフォン４０に配信するようにしてもよい。その場合、顧客がカラオケ装置２０で選択した曲をスマートフォン４０で参照することが可能となるという効果を奏する。
【００５６】
また、さらに、上記の曲データについて、曲別に曲データの参照可能な固有のＵＲＬ（Uniform Resource Locator）を本システム内に設定し、ＮＦＣタグ３０に書き込むようにするようにしてもよい。その場合、顧客によりスマートフォン４０でＮＦＣタグ３０からＵＬＲが読み込まれると、顧客はスマートフォン４０で曲データを無線ＬＡＮ親機１０経由ダウンロードすることが可能となるという効果を奏する。
【００５７】
なお、上記の本実施形態は、以上のような、カラオケ店に設けられたカラオケリモコンシステムのみならず、一つ以上の個室で語学教材等のコンテンツを個別に提供する機器についてのリモコンシステムにも適用される。また、本実施形態においては、上記のＳＳＩＤ情報の代わりに、無線親機と無線子機とを１対１で接続するための接続識別子を用いてもよい。さらに、上記の無線ＬＡＮの代わりに、ＬＡＮ以外の無線通信手段を用いてもよい。
【００５８】
本発明の第２の実施形態について、図面を参照して説明する。
【００５９】
図６に本実施形態におけるリモコン制御装置の構成例を示す。リモコン制御装置７０は、生成部７１、出力部７２、削除部７３を備える。
【００６０】
生成部７１は、入場した利用者の組毎に互いに異なる接続識別子を生成する。
【００６１】
出力部７２は、生成された接続識別子を無線親機に出力し、接続識別子を無線子機が取得可能に出力する。
【００６２】
削除部７３は、利用者の各組の使用終了の際、専用の無線親機から接続識別子を削除する。
【００６３】
上述の構成例を踏まえ、本実施形態におけるリモコン制御装置の動作について説明する。
【００６４】
利用者の組の入場があると、リモコン制御装置７０において、生成部７１が利用者の組毎に互いに異なる接続識別子を生成する。次に、出力部７２が利用者の各組に専用で使用され、入力された接続識別子を自身に設定し、また、接続識別子が設定された無線子機に自身と接続して機器と通信することを可能とする無線親機に、生成された接続識別子を出力する。また、出力部７２はその接続識別子を無線子機が取得可能に出力する。
【００６５】
利用者の組の使用終了があると、削除部７３がその利用者の組専用の無線親機から接続識別子を削除する。
【００６６】
なお、無線子機は機器との通信によって機器のリモコン操作が可能となる。
【００６７】
以上のように、入場した利用者のそれぞれに一意に対応した接続識別子を各利用者に専用で使用される機器の無線親機に設定し、取得可能に出力し、各利用者の退店を確認すると、その接続識別子を無線親機から削除する。また、無線子機が接続識別子を取得すると、その接続識別子を自身に設定して無線親機と接続し、機器と通信して機器のリモコン操作を可能とする。
【００６８】
つまり、カラオケ装置（機器）のアクセスポイントにはカラオケ装置を利用している顧客（利用者）の携帯端末（無線子機）でのみ接続することが可能となる。
【産業上の利用可能性】
【００６９】
本発明は、リモコン制御装置および方法に利用可能である。
【符号の説明】
【００７０】
１０    無線ＬＡＮ親機
１１、５３    メモリ部
１２    ＮＦＣライタ部
１３、２２、４３、５２    制御部
１４、２１、２３、５１    ＬＡＮインタフェース部
１５、４４    無線回路部
２０    カラオケ装置
３０    ＮＦＣタグ
４０    スマートフォン
４１    カラオケリモコンアプリケーション
４２    ＮＦＣリーダ部
５０    制御装置
６０    カラオケ専用リモコン
７０    リモコン制御装置
７１    生成部
７２    出力部
７３    削除部
【図１】
2016131268.tif 000003
【図２】
2016131268.tif 000004
【図３】
2016131268.tif 000005
【図４】
2016131268.tif 000006
【図５】
2016131268.tif 000007
【図６】
2016131268.tif 000008
【図７】
2016131268.tif 000009